(57)【特許請求の範囲】
【請求項１】
読み取りを行う側から見て、
ホログラム加工が施され、第１の旋回方向の円偏光を選択的に反射するコレステリック液晶層と、
読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、
読み取りの対象となるバーコード、２次元コード、ＯＣＲコード、ホログラムコード、カラーコードから選ばれた一または複数により構成されるコードが形成されたコード形成層と
を順に備え、
光学読み取り装置により前記コードと同時に読み取った際に、前記コードの情報の読み取りを阻害するホログラム像が前記ホログラム加工により形成されていることを特徴とする識別媒体。
【請求項２】
前記コードが肉眼では認識し難い大きさを有することを特徴とする請求項１に記載の識別媒体。
【請求項３】
前記ホログラム像が前記コード形成層に形成された前記コードとは別のコードを構成していることを特徴とする請求項１または２に記載の識別媒体。
【請求項４】
請求項１〜３のいずれか一項に記載の識別媒体の真贋を判定する装置であって、
前記第１の旋回方向の円偏光を遮断する円偏光フィルタを介して前記コードを選択的に読み取る読み取り手段を備えることを特徴とする識別装置。
【発明の詳細な説明】
【技術分野】
【０００１】
本発明は、識別媒体および識別装置に関する。
【背景技術】
【０００２】
１次元コードや２次元コード（以下、コードと総称）を用いた部品や食品の管理が知られている。このコードを用いると、製造元の情報、履歴（例えば物流過程の履歴）、真贋（偽造品であるか否かの判定）、製造年月日、その他当該対象物に係る各種の情報の取得等が可能となる。また、コードを電子的に読み取って、それを送信することで、各種の申し込みや情報の入手を行う技術も知られている。このコードの偽造を防止する技術として、ホログラムを用いた技術が知られている（例えば、特許文献１参照）。
【先行技術文献】
【特許文献】
【０００３】
【特許文献１】特開２００８−２６８７７６号公報
【発明の開示】
【発明が解決しようとする課題】
【０００４】
特許文献１に記載されている技術は、ホログラム効果を損なわずに、通常の観察下では埋め込んだコードの情報の視認が困難であるような技術を提供するものである。他方で、リーダーを用いた電子的な読み取りを行う際に、見た目で同じような外観にした偽造品の読み取りが行えないような技術が求められている。この技術としては、コードを複雑化する方法、特殊なインクや透かし技術を用いる方法等があるが、それらの技術の詳細が知られ、利用された場合に偽造防止効果が低下する。また、コードを複雑化したり、透かし技術を用いたりした場合、コードを電子的に読み取る精度の確保が問題となる。
【０００５】
このような背景において、本発明は、見た目で同じような外観にした偽造品を見破ることが容易であり、且つ、コードの読み取り精度の高い技術を提供することを目的とする。
【課題を解決するための手段】
【０００６】
請求項１に記載の発明は、読み取りを行う側から見て、ホログラム加工が施され、第１の旋回方向の円偏光を選択的に反射するコレステリック液晶層と、読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、読み取りの対象となるバーコード、２次元コード、ＯＣＲコード、ホログラムコード、カラーコードから選ばれた一または複数により構成されるコードが形成されたコード形成層とを順に備え、光学読み取り装置により前記コードと同時に読み取った際に、前記コードの情報の読み取りを阻害するホログラム像が前記ホログラム加工により形成されていることを特徴とする識別媒体である。
【０００７】
請求項１に記載の発明によれば、円偏光フィルタを介さずに光学読み取り装置（例えば、バーコードリーダー）によって当該識別媒体からのデータの読み取りを行った場合に、光学読み取り装置は、コード層のコード画像（例えば、２次元バーコード）とコレステリック液晶層のホログラム像とを同時に検出する。この際、ホログラム像によりコード画像の読み取りが阻害されるので、光学読み取り装置で直接光学的な読み取りを行っただけでは、データの読み取りはできない。
【０００８】
他方で、コレステリック液晶層が選択反射する旋回方向の円偏光を遮断する円偏光フィルタを介して、光学読み取り装置による読み取りを行う場合、コレステリック液晶層からの反射光が上記円偏光フィルタによって遮断されるので、光学読み取り装置はコレステリック液晶層のホログラム像を検出しない。このため、コード形成層のコードの情報を検出するＳ／Ｎが高くなり、当該コードの検出および当該コードのデコードが可能となる。つまり、コードの選択的な読み取りが可能となる。
【０００９】
コレステリック液晶層の反射光は、左右どちらかの旋回方向の円偏光であり、円偏光フィルタによりその反射光を遮断した場合の遮断性（透過されない特性）が極めて高い。また、円偏光であるので、円偏光フィルタを回転させてもこの逆旋回方向の円偏光を遮断する特性は変化しない。このため、円偏光フィルタを用いない場合におけるコレステリック液晶層のホログラム像によるコード形成層のコードの読み取りを阻害する機能と、コレステリック液晶層からの反射光を円偏光フィルタで遮断することによる上記コード形成層のコード情報を光学的に検出する際の検出Ｓ／Ｎの確保とを両立できる。
【００１０】
また、コレステリック液晶層へのホログラム加工には、ノウハウが必要であり、ホログラム像の内容が分かっていても簡単には再現できない。また、コレステリック液晶層は、特定の中心波長を選択反射する光学特性を有しているので、感光材料を用いたホログラム干渉構造（ホログラムを構成するエンボス構造）のコンタクトコピーが簡単には行えず、ホログラム型を再現することが困難であるという偽造困難性も有している。これは、コレステリック液晶層から選択反射される反射光のスペクトルと同じ感光特性を有する感光材料を用いないと、コンタクトコピーではホログラム像の色合いや仔細な画像情報の再現性が得られないことに起因する。
【００１１】
本発明によれば、見た目では、ホログラム像に邪魔されてコードが明瞭に見えない状態であるが、使用しているコレステリック液晶が選択反射する円偏光と逆旋回方向の円偏光を選択的に透過する円偏光フィルタを介してコードの光学的な検出を行うと、ホログラム像の影響が排除されて、コードを読み取ることができる識別媒体が提供される。
【００１２】
また、本発明によれば、以下に述べるような偽造防止効果が得られる。まず、コードを偽装してもコレステリック液晶層のホログラムを偽造するのが困難であるので、コードが同じでも見た目で同じものを製造（偽造）することが困難となる。また、例えばコレステリック液晶のホログラムではなく、通常のホログラムをコードに重ねたものを偽造し、見た目を精巧に似せた偽造品を製造しても、円偏光フィルタを介した観察で、コードのみが鮮明に見える、あるいはコードの像が弱くなり、逆にホログラムが鮮明に浮かび上がって見える、といった視覚効果は得られないので、偽造を見破ることが容易となる。
【００１３】
なお、光学読み取り装置の読み取り形式は、光学的にコードを読み取る形式であれば限定されず、例えば、ＣＣＤ等の撮像装置による画像を得る形式、光学受光センサによる直接反射光や散乱反射光の検出による形式、受光センサアレイによる反射光のパターンを検出する形式等が挙げられる。
【００１４】
請求項１に記載の発明においては、前記コレステリック液晶層の側の面と反対の面から自然光を入射させた場合に、前記第１の旋回方向とは逆の第２の旋回方向の円偏光を前記コレステリック液晶層に向かって選択的に透過する光学機能層が前記コレステリック液晶層と前記コード形成層との間に配置されていることを特徴としている。
【００１５】
この構成によれば、コード形成層からの反射光が光学機能層を透過した後にコレステリック液晶層の非観察面側（光学的な読み取りを行う側と反対の面側）から入射する。この入射光は、光学機能層の機能によりコレステリック液晶層が選択反射する円偏光の旋回方向（第１の旋回方向）と逆の第２の旋回方向の円偏光となる。よって、第１の旋回方向の円偏光を選択的に透過する円偏光フィルタを介して当該識別媒体を観察した場合に、この円偏光フィルタによって第２の旋回方向の円偏光が遮断されるので、コードが見えず、コレステリック液晶層からのホログラム像が鮮明に視認される。よって、ホログラム像を用いた肉眼での識別性が高くなる。これは光学読み取り装置を用いた場合も同じであり、ホログラム像の検出による識別性が高くなる。
【００１６】
仮に、上記の光学機能層がない場合、第１の旋回方向を選択的に透過する円偏光フィルタを介した観察において、コード形成層から反射されるランダム光成分の内の第１の旋回方向の円偏光成分がコレステリック液晶層からの反射光に混じって、円偏光フィルタを透過する。このため、ホログラム像だけを鮮明に視認することはできず、コードも同時に視認される。これは、光学読み取り装置を用いた読み取りにおいても同じである。よって、コレステリック液晶層のホログラム像単独の視認性や画像読み取り装置による読み取り精度が低下する。
【００１７】
請求項１に記載の発明において、コードは、バーコード、２次元コード、ＯＣＲコード、ホログラムコード、カラーコードから選ばれた一または複数により構成されている。コードは、各種の方式や規格のものが知られているが（あるいは提案されているが）、本発明では、それらの何れでも利用することができる。ここで、ＯＣＲコードは、文字で表示されたコードであり、また、カラーコードは複数の色彩の組み合わせで構成したコードである。これらのコードは、複数種類を組み合わせて利用することもできる。コードの読み取りは、反射光の明暗を０、１（Ｈｉ状態、Ｌｏ状態）に対応させてデジタル信号として検出する方法、携帯電話のカメラ機能を用いた２次元バーコードの読み取りのように撮像装置を用いてコードの模様を画像として取り込み、それに基づき画像処理によりコードをデコードする方法が挙げられる。 
【００１８】
請求項２に記載の発明は、請求項１に記載の発明において、前記コードが肉眼では認識し難い大きさを有することを特徴とする。請求項２に記載の発明では、バーコード、２次元コード、ＯＣＲコード、ホログラムコード、カラーコード等のコードを肉眼では認識し難い大きさとし、拡大光学系を介して拡大することで読み取ることが可能な形態としている。こうすることで、直視した場合にコレステリック液晶層のホログラム像の見え方が支配的となり、肉眼でコードが視認し難い識別媒体が提供される。
【００１９】
請求項３に記載の発明は、請求項１または２に記載の発明において、前記ホログラム像が前記コード形成層に形成された前記コードとは別のコードを構成していることを特徴とする。請求項３に記載の発明によれば、コード形成層に形成されたコードに加えて、コレステリック液晶層のホログラム像を利用してのコード（ホログラムコード）も用いられるので、それらの組み合わせにより扱うデータ量を多くできる。また、一方のデータのみの読み取り、両方のデータの読み取りの組み合わせによって、より高い識別性を得ることができる。
【００２０】
また、請求項３に記載の発明を採用した場合、右円偏光フィルタと左円偏光フィルタとで、コード形成層からの反射光とコレステリック液晶層からの反射光とを明確に分離して検出することができる。このため、第１の円偏光フィルタを利用することで、コレステリック液晶層からの反射光を選択的に検出し、それによりホログラムコードを選択的に読み取ることができる。また、第２の円偏光フィルタを利用することで、コード形成層からの反射光を選択的に検出し、それによりコード形成層のコード情報を選択的に読み取りことができる。
【００２１】
本明細書に開示されている発明として、読み取りを行う側から見て、ホログラム加工が施され、第１の旋回方向の円偏光を選択的に反射するコレステリック液晶層と、読み取りの対象となるコードが形成されたコード形成層と、光学読み取り装置により前記コードと同時に読み取った際に、前記コードの情報の読み取りを阻害するホログラム像が前記ホログラム加工により形成されている識別媒体からデータを読み取る方法であって、光学読取装置により前記第１の旋回方向の円偏光を遮断する円偏光フィルタを介して前記コードの選択的な読み取りが行われることを特徴とするデータの読み取り方法がある。
【００２２】
この発明によれば、第１の旋回方向の円偏光を遮断する円偏光フィルタを介さない場合は、コードが読み取れず、第１の旋回方向の円偏光を遮断する円偏光フィルタを介した場合に、コードが読み取れるデータの読み取り方法が提供される。すなわち、円偏光フィルタを用いないとコレステリック液晶層のホログラム像とコードが同時に見えるので、コードの読み取りが阻害される。また、第１の旋回方向の円偏光を透過する円偏光フィルタを介して当該識別媒体を観察した場合はコレステリック液晶層からの反射光しか見えないので、やはりコードの読み取りが行えない。このように、特定の旋回方向を透過する円偏光フィルタを用いないとコードの読み取りが行えない技術が提供される。
【００２３】
また上記のデータの読み取り方法の発明において、光学読み取り装置により前記コレステリック液晶層の前記ホログラムと前記コードとの同時読み取りが行われ、前記コードの選択的な読み取りおよび前記ホログラムと前記コードとの同時読み取りに基づき、前記識別媒体の真贋の判定が行われることは好ましい。
【００２４】
請求項４に記載の発明は、請求項１〜３のいずれか一項に記載の識別媒体の真贋を判定する装置であって、前記第１の旋回方向の円偏光を遮断する円偏光フィルタを介して前記コードを選択的に読み取る読み取り手段を備えることを特徴とする識別装置である。
【００２５】
本明細書に開示されている発明として、コード形成層を印刷により形成する工程と、前記コード形成層とコレステリック液晶層とを一体化する工程とを備えることを特徴とする識別媒体の製造方法がある。
【００２６】
また、本明細書に開示されている発明として、コード形成層の一部または全部が形成可能な第１のラベル部が貼り付けられた第１のセパレータを巻き取った第１のロールと、コレステリック液晶層を含む第２のラベル部が貼り付けられた第２のセパレータを巻き取った第２のロールと、前記コード形成層を印刷する印刷手段と、前記印刷手段により印刷された前記コード形成層に前記第２のラベル部を貼り付けする貼り付け手段とを備えることを特徴とする識別媒体の製造装置がある。
【発明の効果】
【００２７】
請求項１に記載の発明によれば、コレステリック液晶層のホログラムによって見た目で同じような外観にした偽造品を見破ることが容易な識別媒体が提供される。また、それと同時に、コレステリック液晶層が特定の旋回方向の円偏光を選択的に反射し、それと逆方向の円偏光を透過する性質を利用した円偏光フィルタを介すことで、コレステリック液晶層のホログラムの影響を受けずに高い精度でコードの読み取りが行える識別媒体が提供される。また、円偏光フィルタを介した観察において、コード形成層のコード図柄が見えず、コレステリック液晶層のホログラムが鮮明に見える観察が可能となる。
【図面の簡単な説明】
【００２８】
【図１】実施形態の識別媒体の断面構造を示す概念図である。
【図２】実施形態の識別媒体の光学原理を示す原理図である。
【図３】実施形態の識別媒体の見え方の違いを示す概念図である。
【図４】実施形態の識別媒体の識別を行うシステムの一例である。
【図５】光学読み取り装置の概念図である。
【図６】光学読み取り装置のブロック図である。
【図７】光学読み取り装置の動作の手順を示すフローチャートである。
【図８】実施形態の識別媒体の断面構造を示す概念図である。
【図９】実施形態の識別媒体の正面図（Ａ）、断面図（Ｂ）、分離した状態の断面図（Ｃ）である。
【図１０】実施形態の識別媒体を構成する紙ラベル部の複数がセパレータに貼り付けられた状態を示す正面図（Ａ）と側面図（Ｂ）である。
【図１１】実施形態の識別媒体を構成するホログラムラベル部の複数がセパレータに貼り付けられた状態を示す正面図（Ａ）と側面図（Ｂ）である。
【図１２】実施形態の識別ラベル製造装置の概念図である。
【発明を実施するための形態】
【００２９】
（１）第１の実施形態
図１には、実施形態の識別媒体１００が示されている。識別媒体１００は、観察が行われる側（識別面側）から、透明保護層１０１、コレステリック液晶層１０２、λ／４板１０４、直線偏光フィルタ層１０５、コード印刷図柄１０７、基材フィルム層１０８、粘着層１０９と積層された構造を有している。
【００３０】
透明保護層１０１は、最表面を保護する透明な樹脂フィルムの層である。透明保護層１０１は、ＴＡＣ（トリアセチルセルロース）等の透過する光の偏光特性を乱さない材質が選択されている。コレステリック液晶層１０２は、赤の右円偏光を選択的に反射する光学特性とされている。コレステリック液晶層１０２には、エンボス型を押し付けることで行われたホログラム加工１０３が施されている。ホログラム加工１０３により、コレステリック液晶層１０２に凹凸構造が付与され、この凹凸構造において生じる光学干渉によりホログラム像が生成される。このホログラム像は、コレステリック液晶層１０２からの反射光を観察することで視認することができる。
【００３１】
λ／４板１０４と直線偏光フィルタ層１０５は、２層で円偏光フィルタ層１０６を構成している。円偏光フィルタ層１０６は、非観察面側であるコード印刷図柄１０７の側から自然光を入射させた場合に、観察面側（図の上側）に左円偏光を選択的に透過する光学機能となるように、λ／４板１０４と直線偏光フィルタ層１０５の向きが調整されている。
【００３２】
コード印刷図柄１０７は、基材フィルム層１０８上へのインクの印刷により形成された２次元バーコードの図柄でありコード形成層を構成する。基材フィルム層１０８は、印刷された２次元バーコードの内容を際立たせる背景色を有した樹脂フィルムの層である。粘着層１０８は、粘着材の層である。粘着層１０８の機能により、識別媒体１００が対象物に貼り付けられる。なお、粘着層１０８の露出面には図示省略したセパレータ（離型紙）が貼り付けられ、対象物に貼り付ける際にこのセパレータを剥がし、粘着層１０９を露出させた状態で対象物への識別媒体１００の貼り付けが行われる。なお、基材フィルムを用いないで、円偏光フィルタ１０６の直線偏光フィルタ１０５側にコード図柄印刷１０７を印刷により形成してもよい。
【００３３】
（ホログラムとコード図柄の関係）
ホログラム加工１０３により構成されるホログラム像は、ロゴや視認し易い模様とされている。このホログラム像とコード図柄とは、少なくとも一部が重なる位置関係とされている。これにより、ホログラム像を同時に検出した場合にコード図柄の電子的な読み取りが困難となる。また、ホログラム像をコード印刷図柄１０７と同時にコード読み取り装置によって読み取った際に、ホログラム像の影響でコードがより確実に読み取り難いような内容のホログラム像を特に選択してもよい。こうすることで、より確実にセキュリティ性を高めることができる。
【００３４】
（光学機能）
図２には、識別媒体１００の光学機能の原理が概念的に示されている。以下、自然光がコレステリック液晶層１０２の側（図の上側）から照射されている環境下における識別媒体１００の光学機能について説明する。なお、図２では、透明保護層１０１の記載は省略されている。
【００３５】
まず、基本的な光学特性を説明する。識別媒体１００に照射された自然光の内、コレステリック液晶層１０２から赤の右円偏光が反射される。このコレステリック液晶層１０２からの反射光は、ホログラム加工１０３に起因するホログラム像を含んだ反射光となる。
【００３６】
また、コレステリック液晶層１０２が反射しない左円偏光、直線偏光、赤以外の右円偏光がコレステリック液晶層１０２を透過し、円偏光フィルタ層１０６に入射する。この入射光は、円偏光フィルタ層１０６の直線偏光フィルタ層１０５のコード印刷図柄１０７側に出た段階で直線偏光となり、コード印刷図柄１０７に入射し、そこで反射される。このコード印刷図柄１０７からの反射光は、コード印刷図柄１０７の２次元バーコードの画像を含んでいる。
【００３７】
このコード印刷図柄１０７からの反射光は、円偏光フィルタ層１０６を図の下か上の方向に透過する段階で左円偏光（左旋回円偏光）となる。すなわち、円偏光フィルタ層１０６は、直線偏光フィルタ層１０５側から自然光を入射させた場合に、λ／４板１０４側から左円偏光が出射する特性とされている。よって、コード印刷図柄１０７からの反射光（直線偏光）は、左円偏光として、円偏光フィルタ層１０６を図の上方向に透過する。この透過光は、左円偏光であるので、コレステリック液晶層１０２を透過し、観察面側に出射する。
【００３８】
（左円偏光フィルタを介した観察）
識別媒体１００を左円偏光フィルタ（左旋回円偏光を選択的に透過する円偏光フィルタ）１１０を介して観察する場合を説明する。この場合、コレステリック液晶層１０２から反射される右円偏光は、左円偏光１１０フィルタで遮断される。他方で、コレステリック液晶層１０２の観察面側に出射する段階で左円偏光となるコード印刷図柄１０７からの反射光は左円偏光フィルタ１１０を透過する。よって、被観察光１１２には、コレステリック液晶層１０２のホログラム像は含まれておらず、コード印刷図柄１０７の２次元バーコードの像が含まれている状態となる。つまり、左円偏光フィルタを介して識別媒体１００を観察した場合、ホログラム加工１０３に基づくホログラム像は見えず、コード印刷図柄１０７の２次元バーコードの像が見える。この状態の一例が図３（Ａ）に示されている。図３（Ａ）には、ホログラム加工１０３に基づくホログラム像１０３’（図３（Ｂ）参照）は見えず、コード印刷図柄１０７の二次元バーコードの画像１０７’が選択的に見えている状態が示されている。
【００３９】
（右円偏光フィルタを介した観察）
識別媒体１００を右円偏光フィルタ（右旋回円偏光を選択的に透過する円偏光フィルタ）１１１を介して観察した場合、コレステリック液晶層１０２から反射される右円偏光は、右円偏光フィルタ１１１を透過するので、被観察光１１３には、ホログラム加工１０３に基づくホログラム像が含まれる。他方で、コレステリック液晶層１０２を観察面側に出射する段階で左円偏光となるコード印刷図柄１０７からの反射光は、右円偏光フィルタ１１１で遮断される。このため、コード印刷図柄１０７の２次元バーコードの像は、被観察光１１３には含まれない。つまり、右円偏光フィルタを介して識別媒体１００を観察した場合、ホログラム加工１０３に基づくホログラム像が見え、コード印刷図柄１０７の２次元バーコードの像は見えない。この状態の一例が図３（Ｂ）に示されている。図３（Ｂ）には、ホログラム加工１０３に基づくホログラム像１０３’が選択的に見え、コード印刷図柄１０７の二次元バーコードの画像１０７’が見えない状態が示されている。
【００４０】
（円偏光フィルタを利用しない場合）
左右の円偏光フィルタを利用しない場合、識別媒体１００から右円偏光であるコレステリック液晶層１０２からのホログラム像と、左円偏光であるコード印刷図柄１０７から２次元バーコードの像とが同時に観察可能となる。この状態の一例が図３（Ｃ）に示されている。図３（Ｃ）には、ホログラム加工１０３に基づくホログラム像１０３’と、コード印刷図柄１０７の二次元バーコードの画像１０７’とが同時に見える状態が示されている。この場合、ホログラム像１０３’の方が観察する側から見て手前側にあるので、両者が重なった部分で二次元バーコードの画像１０７’はマスクされ、認識し難くなる。なお、図３（Ｃ）では、この様子が誇張して示されている。
【００４１】
（利用例）
以下、識別媒体１００の利用例の一例を説明する。ここでは、識別媒体１００を商品に付けられた２次元バーコードに適用した場合の例を説明する。図４には、識別媒体１００を利用した識別を行うシステムの一例が示されている。図４（Ａ）には、全体の概要が示され、図４（Ｂ）には、カメラ付携帯電話で識別媒体１００を撮像する様子が示されている。
【００４２】
図４には、データサーバ２０１、インターネット回線２０２、携帯基地局２０３、携帯基地局のアンテナ２０４、携帯電話２０５、製品２０６、識別媒体１００、カメラ２０８、左円偏光フィルタ２０９が示されている。データサーバ２０１は、識別媒体１００の２次元バーコード情報のデコードされた情報を照合する。インターネット回線２０２は、携帯基地局２０３と接続され、携帯基地局２０３は、アンテナ２０４を介して携帯電話２０５と通信を行う。携帯電話２０５は、カメラ２０８を備え、カメラ２０８で撮像した二次元バーコード情報をデコードし、携帯基地局２０３を介してインターネット２０２経由でデータサーバ２０１に送信する機能を有する。製品２０６は、電子部品や機械部品等の各種の部品、食料品、日用品、衣料品、コンピュータのアプリケーションソフトウェア等の製品や製品パッケージである。製品２０６には、真贋判定機能および決められた内容（例えば、製造者を特定する情報や物流過程の履歴情報等）をコード化して印刷した識別媒体１００が貼り付けられている。
【００４３】
図４に示す例において、ユーザは、携帯電話２０５のカメラ２０８を利用し、左円偏光フィルタ２０９を介して識別媒体１００を撮像する。カメラ２０８が取得したデータは、携帯基地局２０３、インターネット回線２０２を介して、データサーバ２０１に送られる。データサーバ２０１は、受け取ったデータに基づいて、識別媒体１００のコードを自身が記憶している比較対象となるデータと照合する。そしてデータサーバ２０１は、取得したコードの内容に基づいて、特定の情報（例えば、製品２０６に関する製造者を特定する情報）を携帯電話２０５に送る。このようにして、識別媒体１００を撮像し、その画像データをデコードし、データサーバ２０１に送ることで問い合わせが行われ、その問い合わせの結果（回答）が、データサーバ２０１から携帯電話２０５に送られ、携帯電話２０５に表示される。
【００４４】
なお、円偏光フィルタを介さず直接識別媒体１００を撮像した場合、コレステリック液晶層のホログラム像も同時に撮像される。よって、その画像データはコレステリック液晶のホログラム像が障害になって二次元バーコード(コード印刷図柄１０７)のデコードは行えない。
【００４５】
（読み取り装置）
図５には、図１の識別媒体１００の読み取りを行う読み取り装置３００が示されている。読み取り装置３００は、ＣＣＤ等の撮像装置３０１、制御部３０２、ライト３０３、円偏光フィルタ３０４、拡大レンズ３２０、ステージ３０５を備えている。撮像装置３０１は、識別媒体１００の撮像を行う。制御部３０２は、装置全体の動作制御、撮像装置３０１が撮像した画像に基づくコードの解読および真贋判定を行う。ライト３０３は、識別媒体１００に白色自然光を照射する。円偏光フィルタ３０４は、識別媒体１００のコレステリック液晶層１０２が選択反射する円偏光（この場合は、右円偏光）を遮断する光学フィルタ（この場合は、左円偏光フィルタ）である。円偏光フィルタ３０４は、光軸上（撮像装置３０１の前）からの退避が自在にできるように図示省略した移動手段により、移動が可能とされている。拡大レンズ３２０は、例えばマイクロＯＣＲコード等の肉眼では小さくて視認し難いコードを用いた場合に利用される拡大光学系である。拡大レンズ３２０も光軸から退避可能とされている。ステージ３０５は、識別媒体１００が貼り付けられた対象物（例えば、電子部品や各種商品等）３０６が置かれるステージである。
【００４６】
図６は、制御部３０２の構成を示すブロック図である。制御部３０２には、後述するフローチャートの手順を実行するコンピュータとして機能する。制御部は、ＣＰＵ、メモリ、インターフェースを備え、ソフトウェアー的に構成された以下の機能部を有している。制御部３０２は、画像抽出部３０６、デコード部３０７、デコード内容出力部３０８、画像判定部３０９、デコード可否判定部３１０、真贋判定部３１１、報知部３１２、駆動部３１３を備えている。
【００４７】
画像抽出部３０６は、画像データから画像の内容を抽出する。デコード部３０７は、抽出された画像を解析し、コード（２次元バーコードデータ）を解析しデコードする。デコード内容出力部３０８は、デコードされた２次元バーコードの情報を出力する。ここで、２次元バーコードの情報としては、対象物３０６の固有情報（例えば、製造番号や各種履歴情報）が挙げられる。
【００４８】
画像判定部３０９は、抽出された画像が予め記憶されている画像（リファレンス画像）と整合するか否か、を判定する。デコード可否判定部３１０は、デコード部３０７におけるコードデータのデコードが正常に行われたか否か、を判定する。真贋判定部３１１は、画像判定部３０９およびデコード可否判定部３１０の判定の結果に基づき、識別媒体１００の真贋を判定する。報知部３１２は、各種判定の結果を報知する報知信号を出力する。駆動部３１３は、ライト３０３の点灯制御、円偏光フィルタ３０４および拡大レンズ３２０の移動制御を行うための駆動信号を出力する。
【００４９】
（読み取り装置の動作）
図７は、読み取り装置３００の動作の一例を示すフローチャートである。図７の処理の手順を実行するプログラムは、制御部３０２内の適当なメモリ領域に記憶され、制御部３０２によって実行される。このプログラムは、適当な記憶媒体に記憶され、そこから提供される形態であってもよい。
【００５０】
図５のステージ３０５上に、識別媒体１００が貼り付けられた対象物３０６が置かれた状態で処理が開始される。処理が開始されると（ステップＳ５０１）、ライト３０３の発光を開始し（ステップＳ５０２）、円偏光フィルタ（左円偏光フィルタ）３０４を撮像装置３０１と識別媒体１００との間から退避させる（ステップＳ５０３）。
【００５１】
次に、撮像装置３０１により識別媒体１００を図１の観察面側（透明保護層１０１の側）から撮像し、識別媒体１００を撮像した画像データを取得する（ステップＳ５０４）。識別媒体１００の画像データを取得したら、２次元バーコード情報のデコードが不可で、且つ、得られた画像が予め用意しておいたリファレンス画像と整合（合致）するか否かが判定される（ステップＳ５０５）。この判定要件が満たされない場合、コレステリック液晶層１０２のホログラム画像による２次元バーコードの読み取りを阻害する作用が正常に機能しておらず、またこのホログラム画像が偽物の可能性が高いと判定され、真正でない疑がある旨（贋物の疑いあり）の報知情報を出力する処理を行う（ステップＳ５０６）。
【００５２】
ステップＳ５０５において、２次元バーコード情報のデコードが不可で、且つ、得られた画像が予め用意しておいたリファレンス画像と整合する場合、円偏光フィルタ３０４を撮像装置３０１と識別媒体１００との間に挿入し（ステップＳ５０７）、再度識別媒体１００の撮像を行いその画像データを得る（ステップＳ５０８）。次に、この再度取得した画像データに対してデコード処理を行い、正常なデコードが行えた否か、を判定する（ステップＳ５０９）。ここで、正常なデコードが行えなければ、エラー処理を行い（ステップＳ５１０）、正常なデコードができた場合、デコードした内容（識別媒体１００の２次元バーコード情報）を出力する（ステップＳ５１１）。その後、ライト３０３の発光を停止し（ステップＳ５１２）、処理を終了する（ステップＳ５１３）。
【００５３】
（真贋判定機能）
まず、図２に関連して説明したように、識別媒体１００は、直視した場合に２次元バーコードの模様とホログラム像が同時に見える。そして、左円偏光フィルタを介して見ると２次元バーコードのみが見え、右円偏光フィルタを介して見るとホログラム像のみが見える。この視認される像の切り替わりで真贋の判定が可能となる。２次元バーコードのみであると、偽造された場合にその真贋の判定が困難となるが、識別媒体１００では、上記の目視による観察で、真贋の判定が行える。
【００５４】
また、図５、図６に関連して説明したように、機械による電子的な読み取りにおいても真贋の判定が可能となる。すなわち、見た目を似せて作った贋物の識別媒体１００は、コレステリック液晶層１０２へのホログラム加工１０３が上手く再現できないので、ステップＳ５０５の判定がＮＯとなる。また、仮にステップＳ５０５の判定をクリアしたとしても、ステップＳ５０９の判定において、ホログラム像が画像データ中に残っていると２次元バーコードのデコードが不可となり、エラーとなるので、偽造品の２次元バーコード情報が正常な情報として読み取られる不都合が回避される。
【００５５】
このように識別媒体１００は、目視での観察による真贋判定、および電子的な読み取りによる真贋判定を行うことで、２次元バーコード情報の偽造を見破ることが容易となる。
【００５６】
（その他）
コレステリック液晶層１０２が選択反射する中心波長（色）は、赤に限定されず、緑等の他の色であってもよい。また、コレステリック液晶層１０２が選択反射する円偏光の旋回方向は、右旋回方向に限定されず、左旋回方向であってもよい。例えば、コレステリック液晶層１０２が選択反射する円偏光の旋回方向を左旋回方向とした場合、符号１０６の部分は、右円偏光フィルタ層となる。
【００５７】
基材フィルム層１０８と粘着層１０９を透明にし、貼り付けた面が透けて見える構成も可能である。また、粘着層１０９を暗色の色として、粘着層を光吸収層として機能させてもよい。この場合、直視した場合にホログラム像が強調され、２次元バーコードが見え難くなる。２次元バーコードの図柄は、予め印刷された薄いフィルムを張り合わせても形成してもよい。
【００５８】
（変形例１）
図１に示す構成において、円偏光フィルタ層１０６を省いた構成も可能である。この場合、右円偏光フィルタを介した観察において、ホログラム像に加えて、コード印刷図柄も薄く見える。左円偏光フィルタを介した観察の場合は、図１の識別媒体の場合と同じである。変形例１の場合、円偏光フィルタを切り替えての観察において、２次元バーコードの図柄とホログラム像との明確な切り替わりが図１の識別媒体１００に比較して不明瞭となるが、図７の処理による真贋判定および２次元バーコード情報の読み取り処理は可能である。
【００５９】
（変形例２）
コード印刷図柄１０７として、２次元バーコードの図柄の代わりに肉眼では識別できない大きさのマイクロ文字を利用したＯＣＲコード（以下、マイクロＯＣＲコード）を用いる。マイクロコードＯＣＲコードは、特定のデータを文字により記号化（暗号化）したもので、肉眼では読み取り難い大きさを有し、レンズを介して読み取る。この場合の識別媒体の使用方法や特徴は、図５の装置において、拡大レンズ３２０が利用される点、コードの方式が変わる点を除いて２次元バーコードの場合と同じである。
【００６０】
マイクロＯＣＲコードを用いた場合、目視でコードが読み取り難いので、コレステリック液晶層のホログラム像が強調されて見え、ホログラム像を用いた目視での識別性が高くなる。また、マイクロＯＣＲコードは文字が小さいので、円偏光フィルタを介さずにマイクロＯＣＲコードを画像認識により読み取ろうとした場合に、ホログラム像による幻惑作用がより大きく、ホログラム像がより明瞭な画像となる点と相まって、図７のステップＳ５０５の判定による真贋判定をより効果的に行うことができる。なお、バーコードの表示を小さくし、光学系で拡大することで読み取る形態も可能である。
【００６１】
（変形例３）
２次元バーコードの変わりにＩＤ番号を用いることもできる。この場合、図５、図６の構成においてＩＤ番号が画像認識され、ＩＤ番号に対応した固有情報（例えば、製造番号や、認識番号、固有の名称等）がデコードされる。
【００６２】
この構成では、円偏光フィルタ３０４を退避させた状態で画像認識を行うと、コレステリック液晶層１０２のホログラム像に幻惑されて、ＩＤ番号が読み取れず、左円偏光フィルタを光路に挿入した状態で画像認識を行うと、ホログラム像が消えて、ＩＤ番号の読み取りが可能となる。
【００６３】
この場合もＩＤ番号を何らかの方法で入手され、識別媒体が偽造されたとしても、偽造の困難なコレステリック液晶のホログラム像を用いた円偏光フィルタ不使用時のＩＤ番号の読み取りを困難にする光学機能、また逆に円偏光フィルタ使用時のＩＤ番号をホログラム像の影響（幻惑）を受けずに精度よく読み取れる機能、および再現の困難なホログラム画像の画像内容によって高い偽造判定機能を得ることができる。
【００６４】
（変形例４）
ホログラム加工１０３によって形成されるホログラム像としてホログラムコードを含むものを採用してもよい。この場合、右円偏光フィルタを介した撮像によって、ホログラム加工１０３によるホログラムコードの読み取りが行われる。そして、左円偏光フィルタを介した撮像によって、コード印刷図柄１０７のコードの読み取りが行われる。つまり、円偏光フィルタの切り替えにより、２つのコードの選択的な読み取りが可能となる。
【００６５】
この場合、図５に示す装置は、右円偏光フィルタと左円偏光フィルタを備え、右円偏光フィルタの光路への挿入および退避、左円偏光フィルタの光路への挿入および退避が可能とされる。すなわち、右円偏光フィルタを光路に挿入した場合、右円偏光フィルタを介した識別媒体１００の撮像となり、ホログラム加工１０３によって形成されるホログラム像に含まれるホログラムコードの読み出しが行われる。また、左円偏光フィルタを光路に挿入した場合、左円偏光フィルタを介した識別媒体１００の撮像となり、コード印刷図柄１０７のコードの読み取りが行われる。
【００６６】
またこの場合、円偏光フィルタと読み取ったコードの内容との組み合わせに基づいた真贋の判定も可能となる。つまり、右円偏光フィルタ採用時のデコード内容と右円偏光フィルタ採用時のデコード内容が、予め定めた内容と一致するか否かを判定することで、識別媒体の真贋の判定が可能となる。
【００６７】
この方法は、図４のシステムで実現することもできる。この場合、携帯電話２０５のカメラ２０８の前に配置する円偏光フィルタとして、左右の円偏光フィルタを用意し、また上記の方法を実行するプログラムを用意し、それをコード読み取りサーバ２０１において実行する。
【００６８】
（製造方法）
図１の識別媒体１００の製造方法の一例を説明する。まず、コレステリック液晶層１０２を図示しない形成用基板上に形成する。形成用基板上でコレステリック液晶層１０２を形成したら、ホログラム型を押し付け、ホログラム加工１０３を施す。次いで、この形成用基板からコレステリック液晶層１０２を剥がし、予め接着剤により一体化しておいた円偏光フィルタ層１０６にコレステリック液晶層１０２を熱プレスまたは接着により固定する。また、コレステリック液晶層１０２の露出した面（観察面）側に透明保護層１０１を接着する。
【００６９】
他方で、裏面側に粘着層１０９を取り付けた基材フィルム層１０８上に、コード印刷図柄１０７を印刷したものを用意する。そして、コード印刷層１０７と直線偏光フィルタ層１０５が密着するように両者を熱プレスまたは接着により固定することで、図１に示す識別媒体１００を得る。
【００７０】
この方法によれば、透明保護層１０１、ホログラムが形成されたコレステリック液晶層１０２、円偏光フィルタ層１０６と積層された第１の部材と、粘着層１０９、基材フィルム層１０８と積層された第２の部材とを用意しておき、コード印刷図柄１０７の形成後に、第１の部材と第２の部材とを貼りあわせて識別媒体１００を得、更にこの識別媒体１００を対象物に貼り付ける作業が可能となる。このため、部品の製造ラインや物流ライン等において、オンデマンドでコードを印刷により形成し、このコードが印刷された識別媒体を対象物に貼り付ける作業が可能となる。これにより、本発明を利用した識別媒体を、例えば偽造防止機能を備えた履歴管理タグとして利用することができる。
【００７１】
（２）第２の実施形態
図８には、本実施形態の識別媒体６００が示されている。なお、図１と同じ符号の部分は、図１の場合と同じである。識別媒体６００は、円偏光フィルタ層１０６の非観察面側に、観察面側から金属反射層６０１、エンボス加工層６０２と積層されたホログラム反射層６０３を備えている。エンボス加工層６０２は、樹脂フィルムにホログラム像を構成するためのエンボス加工が施された層である。金属反射層６０１は、アルミ蒸着層等の光反射層であり、下地のエンボス加工層６０２の凹凸構造に倣った凹凸表面を有している。
【００７２】
この構成によれば、金属反射層６０１とエンボス加工層６０２とによりホログラム反射層６０３が構成されている。このホログラム反射層６０３のホログラム像は、特定のデータを記号化したホログラムコードを含んでいる（他の図柄を含んでいてもよい）。ここでホログラムコードを転写箔で構成し、それを貼り付ける形態としてもよい。この技術に関しては、例えば特開平６−１９１５２５号公報に記載された技術を利用することができる。
【００７３】
識別媒体６００は、図５の読み取り装置３００におけるコードの読み取りにおいて、円偏光フィルタ３０４を光軸上から退避させた状態において、ホログラム加工１０３のホログラムとホログラム反射層６０３のホログラムとが同時に撮像される。この際、ホログラム反射層６０３のホログラムコードがホログラム加工１０３のホログラムによってマスクされ、ホログラム反射層６０３のホログラムコードを選択的に読み取ることが困難となる。そして、右円偏光フィルタを介して当該識別媒体６００を撮像すると、ホログラム加工１０３のホログラムが選択的に撮像され、左円偏光フィルタを介して当該識別媒体６００を撮像すると、ホログラム反射層６０３のホログラムが選択的に撮像される。この場合も第１の実施形態の場合と同様に、円偏光フィルタを介した撮像によって、コードを読み取ることができる。
【００７４】
（その他）
粘着層１０９と基材フィルム層１０８に溶剤が侵入（浸透）し易いようにする溶剤進入経路を設け、さらにコード図柄印刷１０７の層やその下地に溶剤に触れると発色する材料を存在させてもよい。例えば、溶剤に触れると破れるマイクロカプセル中に発色剤や顕色剤を内包させ、このマイクロカプセルをコード図柄印刷１０７の層中に存在させる。この場合、溶剤を用いて粘着層１０９の粘着機能を低下させ、識別媒体１００を不正に対象物から剥がそうとすると、粘着層１０９から溶剤が内部に侵入する。この結果、マイクロカプセルは破れ、コード印刷図柄１０７に加えて発色模様が観察されるようになる。これにより、溶剤を用いて剥がした識別媒体１００の不正な再利用が防止される。上記の溶剤に触れると発色する技術としては、特開２００８−０５５８１３号公報に記載されている技術を利用することができる。
【００７５】
また上記の粘着層１０９および基材フィルム層１０８に溶剤が侵入し易いようにする溶剤進入経路を設けた構成において、溶剤で溶解する染料を含有するインクによりコード図柄印刷１０７を形成してもよい。この場合、溶剤で識別媒体１００を対象物から剥がそうとすると、コード図柄印刷１０７の印刷内容が滲み、コードの読み取りができなくなる。すなわち、識別媒体１００の不正な再利用ができなきなくなる。この技術としては、特開平１０−２５０２２８号公報に記載されて技術が利用可能である。上記の溶剤で溶解する染料を含有するインクとしては、ペンタエリスリトールトリアクリレートを５８重量部、エチレンオキサイド変性ビスフェノールＡジアクリレートを２９重量部、有機溶剤溶解染料を８重量部、２，２−ジメトキン−２−フェニルアセトフェノンを５重量部により構成されるものを挙げることができる。
【００７６】
３．第３の実施形態
（構成）
図９（Ａ）には、実施形態の識別媒体７００を正面から見た状態が示されている。ここで、識別媒体７００は、セパレータ（離型紙）７０１上に貼り付けられた状態が示されている。識別媒体７００は、機械部品、電子部品、その他各種製品等（あるいはそのパッケージ）に貼り付けられて使用される。識別媒体７００は、２次元コード表示７０２、２次元コード表示７０２に重ねて設けられたホログラム表示７０３を備えている。２次元コード表示は、例えば２次元バーコードであり、当該識別媒体が貼り付けられる対象物に係る各種の情報や当該対象物に関する情報を取得できるインターネットアドレス等の情報がコード化されて記憶されている。また、識別媒体７００は、例えば製品名、製造メーカ、ロット番号、その他情報が印刷表示されたその他印刷表示７０４を備えている。
【００７７】
図９（Ｂ）には、識別媒体７００にセパレータ７０１を貼り付けた状態の断面構造が示されている。以下、識別媒体７００の断面構造について説明する。識別媒体７００は、基材紙７１２を基材としている。基材紙７１２の図の下面側には、粘着材料による粘着層７１１が設けられている。識別媒体７００を対象物に貼り付ける際には、セパレータ７０１を粘着層７１１から剥がし、露出した粘着層７１１を対象物に接触させることで、対象物に識別媒体７００を固定する。
【００７８】
基材紙７１２の粘着層７１１が設けられた側と反対の側の面（図の上面）には、印刷により設けられた２次元コード表示７０２とその他印刷表示７０４を構成するインクの層が設けられている。２次元コード表示７０２の上には、光学的に透明な粘着層７１４が設けられ、その上には、直線偏光フィルタ層７１５と（λ／４）板７１６を積層した円偏光フィルタ層７１７が配置されている。
【００７９】
円偏光フィルタ層７１７の上には、コレステリック液晶層７１８が設けられている。コレステリック液晶層７１８には、ホログラム表示７０３を行なうための型押加工が施されている。ここで、コレステリック液晶層７１８が選択反射する円偏光の旋回方向と、円偏光フィルタ層７１７を図の下から上に向けて透過する円偏光の旋回方向とが逆方向となるように設定されている。また、ホログラム表示７０３は、２次元コード表示７０２と重なる位置に形成されている。そして、コレステリック液晶層７１８の上には、ＴＡＣフィルム等により構成される透明保護層７１９が設けられている。
【００８０】
（光学機能）
以下の説明において、コレステリック液晶層７１８が右円偏光を選択反射し、円偏光フィルタ層７１７を図の下から上に向けて左円偏光が選択的に透過する設定であるとする。この場合、識別媒体７００を直視すると、２次元コード表示７０２、ホログラム表示７０３、その他印刷表示７０４が視認される。この場合、ホログラム表示７０３が障害となり、２次元コード表示からのコードの読み取りは行えない。
【００８１】
ここで、左円偏光フィルタを介して識別媒体７００を観察すると、コレステリック液晶層７１８からの反射光が観察できない。他方で、２次元コード表示７０２からの反射光に含まれる左円偏光は、円偏光フィルタ層７１７を図の下から上に向けて透過し、更にこの左円偏光の透過光は、コレステリック液晶層７１８とビューアである左円偏光フィルタを透過する。このため、左円偏光フィルタを介した観察において、２次元コード表示が選択的に明瞭に観察できる。当然、この状況で読取装置を利用した２次元コード表示７０２の光学的な読み取りが可能となる。
【００８２】
また、右円偏光フィルタを介して識別媒体７００を観察すると、コレステリック液晶層７１８からの反射光が優先的に観察され、２次元コード表示７０２からの反射光は観察できない。これは、ビューアである右円偏光フィルタにより、２次元コード表示７０２からの左円偏光の反射光が遮断されるからである。また、この状態で識別媒体７００を傾け、見る角度を変化させると、コレステリック液晶層７１８のカラーシフトが観察され、その色合いの変化による識別機能が得られる。
【００８３】
（製造方法）
図９（Ｃ）に示すように、セパレータ７０１に貼り付けられた識別媒体７００は、紙ラベル部７２０とホログラムラベル部７３０とで構成されている。この構成では、紙ラベル部７２０とホログラムラベル部７３０とを別に作り、粘着層７１４の粘着機能により、両者を合体させることで、識別媒体７００を得る。
【００８４】
図１０には、複数の紙ラベル部７２０がリボン状のセパレータ７０１に貼り付けられ、テープ状にされた状態が示されている。図１０（Ａ）は、正面から見た様子であり、図１０（Ｂ）は、ロール７２１に巻き取られた状態を示す側面図である。図１１には、複数のホログラムラベル部７３０がリボン状のセパレータ７３１に貼り付けられ、テープ状にされた状態が示されている。図１１（Ａ）は、正面から見た様子であり、図１１（Ｂ）は、ロール７３２に巻き取られた状態を示す側面図である。
【００８５】
例えば、セパレータ７３１からホログラムラベル部７３０を剥がし、それを紙ラベル部７２０のホログラム表示部７０２（図９参照）に貼り付けることで、図９に示すセパレータ７０１に貼り付けられた状態の識別媒体７００が得られる。
【００８６】
（製造装置）
図１２には、図９に示すセパレータ７０１に識別媒体７００が貼り付けられた構成を有する識別ラベルを製造する識別ラベル製造装置の一例が示されている。図１２には、識別ラベル製造装置７５０が示されている。識別ラベル製造装置７５０には、図１０のロール７２１が装着されている。ロール７２１には、複数の紙ラベル部７２０（図９（Ｃ）参照）が貼り付けられたセパレータ７０１が巻き取られている。ここで、セパレータ７０１には、ミシン目が設けられており、後に簡単に分離が可能な構造とされている。複数の紙ラベル部７２０が貼り付けられたセパレータ７０１は、ロール７２１から巻き出され、ガイドロール７５１を経て、ガイドロール７５２に至る。ガイドロール７５２に対向して印刷手段である印刷ヘッド７５３が配置されており、紙ラベル部７２０に対する印刷が可能とされている。印刷ヘッド７５３において印刷可能な内容は、図９の２次元コード印刷７０２およびその他印刷表示７０４の一部または全部である。印刷ヘッド７５３としては、インクジェット方式のものを挙げることができる。
【００８７】
他方で、識別ラベル製造装置７５０には、図１１のロール７３２が装着されている。ロール７３２には、粘着層７１４の粘着力により、複数のホログラムラベル部７３０（図９（Ｃ）参照）が貼り付いたリボン状のセパレータ７３１が巻き取られている。上述したロール７２１からのセパレータ７０１の巻き出しに同期させて、ロール７３２からのセパレータ７３１の巻き出しが行なわれる。
【００８８】
ロール７３２から巻き出されたホログラムラベル部７３０を有したセパレータ７３１は、対抗した一対のロールにより構成される貼り付けローラー７５４に送られ、そこで紙ラベル部７２０の２次元コード印刷７０２およびその他印刷表示７０４が行われている面と接触する。この際、図９（Ｃ）に示すように、ホログラムラベル７３０の粘着層７１４が紙ラベル部７２０の２次元コード印刷７０２の部分に接触する。ここで、貼り付けローラー７５４から受ける圧力により、ホログラムラベル７３０が紙ラベル部７２０に確実に貼り付けられる。なお、図９（Ｃ）には、図１２のセパレータ７３１は図示されていない。この貼り付けは、粘着層７１４の粘着機能によって行われる。この際、粘着層７１４の材質に応じて熱や紫外光を照射し、粘着機能の発現を助長してもよい。ホログラムラベル７３０を紙ラベル部７２０側に貼り付けした後のセパレータ７３１は、巻き取りロール７５５に巻き取られる。
【００８９】
こうして、貼り付けローラー７５４において、図９（Ｂ）に示す識別媒体７００の複数が、セパレータ７０１に固定された状態が得られ、それが識別ラベル製造装置７５０の外部に出力される。ここで、セパレータ７０１には、個々の識別媒体７００をセパレータ７０１ごと切り離すことができるようにミシン目が入れられており、簡単な作業でセパレータ７０１に貼り付けられた状態のラベル状の識別媒体７００を得ることができる。
【００９０】
図１２に示す識別ラベル７００は、紙ラベル部７２０に対して、印刷ヘッド７３５においてリアルタイムに印刷を行いつつ、その印刷内容の読み取りに識別性を持たせるホログラムラベル部７３０を形成することができる。この作業は、識別対象となる製品の製造現場や流通現場（例えば、出荷のための包装を行なう現場）において可能である。例えば、製品の出荷が行なわれる施設内において、顧客ごとにカスタマイズされた多様な仕様の製品毎に対応する情報を印刷ヘッド７５３から２次元コード表示７０２として印刷し、その上に識別性を持たせるためのホログラム表示７０３を形成する作業が可能となる。
【産業上の利用可能性】
【００９１】
本発明は、真贋の識別を行うための技術に利用することができる。
【符号の説明】
【００９２】
１００…識別媒体、１０１…透明保護層、１０２…コレステリック液晶層、１０３…ホログラム加工、１０４…λ／４板、１０５…直線偏光フィルタ層、１０６…円偏光フィルタ層、１０７…コード印刷図柄、１０８…基材フィルム層、１０９…粘着層、３００…読み取り装置、３０３…ライト、３０４…円偏光フィルタ、３０５…ステージ、３２０…拡大レンズ、７００…識別媒体、７０１…セパレータ（離型紙）、７０２…２次元コード表示、７０３…ホログラム表示、７０４…その他印刷表示、７１１…粘着層、７１２…基材紙、７１４…粘着層、７１５…直線偏光フィルタ層、７１６…λ／４板、７１７…円偏光フィルタ層、７１８…コレステリック液晶層、７１９…透明保護層、７２０…紙ラベル部、７２１…ロール、７３０…ホログラムラベル部、７３１…セパレータ、７３２…ロール、７５０…識別ラベル製造装置、７５１…ガイドロール、７５２…ガイドロール、７５３…印刷ヘッド、７５４…貼り付けローラー、７５５…巻き取りロール。
【要約】
【課題】見た目で同じような外観にした偽造品を見破ることが容易であり、且つ、コードの読み取り精度の高い技術を提供する。
【解決手段】読み取りを行う側から見て、ホログラム加工１０３が施され、特定の中心波長を有した第１の旋回方向の円偏光を選択的に反射するコレステリック液晶層１０２と、読み取りの対象となるコード印刷図柄１０７が形成されたコード形成層を順に備え、光学読み取り装置により前記コードと同時に読み取った際に、前記コードの情報の読み取りを阻害するホログラム像が前記ホログラム加工１０３により形成されている。
【選択図】図１【図１】
0004714301.tif 000002
【図２】
0004714301.tif 000003
【図３】
0004714301.tif 000004
【図４】
0004714301.tif 000005
【図５】
0004714301.tif 000006
【図６】
0004714301.tif 000007
【図７】
0004714301.tif 000008
【図８】
0004714301.tif 000009
【図９】
0004714301.tif 000010
【図１０】
0004714301.tif 000011
【図１１】
0004714301.tif 000012
【図１２】
0004714301.tif 000013